(57)【要約】【課題】  本棚内のデッドスペースを解消して収納効率を向上させ、また任意の書籍を簡単にしかも迅速に取り出すことができるようにする。【解決手段】  多数の書籍１７を横置き姿勢で積み重ねて収納する筐体形状を呈する本棚本体１６と、任意の書籍を取り出すために用いられる書籍取り出し機構２０を備える。書籍取り出し機構は、本棚本体内に収納した書籍のうちの任意の書籍１７Ａの上側に差し込まれてその上側の書籍１７Ｂを持ち上げるための持ち上げ爪部２１ａとこの爪部に軸部２１ｃを介して回動力を作用させる操作部２１ｂを有する書籍持ち上げ用レバー２１と、前記持ち上げ爪部を本棚本体の背面側から書籍間に差し込みできるように背板に高さ方向に沿って設けられた開口部２３と、本棚本体の背面側部分に高さ方向に沿って設けられ書籍持ち上げ用レバーの軸部を任意の高さ位置で回動可能に軸支する被軸支手段である孔２４，２５とによって構成される。【選択図】        図１
2005334581.tif 000002
【特許請求の範囲】
【請求項１】
底板、天板、左右側板および背板により筐体形状を呈するように形成され多数の書籍を横置き姿勢で積み重ねることによって収納する本棚本体と、
この本棚本体に収納した書籍のうちの任意の書籍を取り出すために用いられる書籍取り出し機構とを備え、
前記書籍取り出し機構は、前記本棚本体内に収納した書籍のうちの任意の書籍の上側に差し込まれることによりその上部に積み重ねられている書籍を持ち上げるための持ち上げ爪部とこの爪部に軸部を介して回動力を作用させる操作部とを有する書籍持ち上げ用レバーと、
この書籍持ち上げ用レバーの持ち上げ爪部を本棚本体の背面側から書籍間に差し込みできるように前記背板に高さ方向に沿って設けられた開口部と、
前記本棚本体の背面側部分に高さ方向に沿って設けられ前記書籍持ち上げ用レバーの軸部を任意の高さ位置で回動可能に軸支する被軸支手段とによって構成されていることを特徴とする本棚。
【請求項２】
底板、天板、左右側板および背板により筐体形状を呈するように形成され多数の書籍を横置き姿勢で積み重ねることによって収納する本棚本体と、
この本棚本体に収納した書籍のうちの任意の書籍を取り出すために用いられる書籍取り出し機構とを備え、
前記書籍取り出し機構は、前記本棚本体内に収納した書籍のうちの任意の書籍の上側に差し込まれることによりその上部に積み重ねられている書籍を持ち上げるために下面にラックが形成された持ち上げ用レバーと、このラックに歯合する歯車が形成され内部にハンドルが係合する係合孔が形成された係合歯車と、この係合歯車の係合孔に係合する係合部が形成されたハンドルと、
この書籍持ち上げ用レバーの持ち上げ爪部を本棚本体の背面側から書籍間に差し込みできるように前記背板に高さ方向に沿って設けられた開口部と、
前記本棚本体の背面側部分に高さ方向に沿って設けられ前記書籍持ち上げ用レバーのハンドルを任意の高さ位置で回動可能に軸支する被軸支手段とによって構成されていることを特徴とする本棚。
【請求項３】
請求項１または請求項２に記載の本棚において、
前記本棚本体内に収納される書籍は、その背表紙が前記背板に設けた開口部から見える状態で積み重ねられて収納されていることを特徴とする本棚。
【請求項４】
請求項１乃至請求項３に記載の本棚において、
前記本棚本体の底板に、移動用キャスタが設けられていることを特徴とする本棚。
【発明の詳細な説明】
【技術分野】
【０００１】  本発明は、定型的な書籍、本類（以下、単に書籍という）を多数並べて収納するために用いられる本棚に関する。
【背景技術】
【０００２】  この種の本棚として一般的なものは、本棚本体の内部に複数段にわたって棚板が設けられ、該棚板によって仕切られた各スペース内に書籍を縦置き姿勢で並べて収納するようになっている。このような棚板等の仕切板は、本棚が縦型である場合に多くなっている（例えば、特許文献１参照）。【０００３】
【特許文献１】          特開２００１−２０４５５７
【発明の開示】
【発明が解決しようとする課題】
【０００４】  上述した従来の本棚において、棚板等の仕切板は、書籍を体裁よく収納して陳列することができるとともに、任意の書籍を取り出す際に、その上側にある書籍とは無関係に、取り出すことができるようにするために必要とされている。すなわち、棚板等がないと、書籍の上部に、上側の書籍が積み重なった状態となり、見栄えが悪いばがりでなく、上方に積み重なっている書籍の重みで目的としている書籍を取り出すことができないことになる。【０００５】  しかし、上述した棚板等の仕切板は、本棚全体から見るとデッドスペースとなるところであり、本棚への書籍の収納効率の面で問題であった。さらに、棚板等によって区画された収納スペースと書籍の大きさとが相違すると、上記のデッドスペースは一層増大してしまうものであり、このような書籍の収納効率を向上させ得る何らかの工夫が必要となっている。【０００６】  その一方において、本棚への書籍の収納効率を単純に増大させると、任意の書籍を取り出す際に、積み重なった書籍を移動させる等といった作業が必要で、手間が増えることになるため、このような点にも配慮することが望まれている。【０００７】  本発明はこのような事情に鑑みてなされたものであり、本棚内のデッドスペースを解消して収納効率を向上させ、また任意の書籍を簡単にしかも迅速に取り出すことができる本棚を得ることを目的とする。
【課題を解決するための手段】
【０００８】  このような目的に応えるために本発明の請求項１に係る本棚は、底板、天板、左右側板および背板により筐体形状を呈するように形成され多数の書籍を横置き姿勢で積み重ねることによって収納する本棚本体と、この本棚本体に収納した書籍のうちの任意の書籍を取り出すために用いられる書籍取り出し機構とを備え、この書籍取り出し機構は、前記本棚本体内に収納した書籍のうちの任意の書籍の上側に差し込まれることによりその上部に積み重ねられている書籍を持ち上げるための持ち上げ爪部とこの爪部に軸部を介して回動力を作用させる操作部とを有する書籍持ち上げ用レバーと、この書籍持ち上げ用レバーの持ち上げ爪部を本棚本体の背面側から書籍間に差し込みできるように前記背板に高さ方向に沿って設けられた開口部と、前記本棚本体の背面側部分に高さ方向に沿って設けられ前記書籍持ち上げ用レバーの軸部を任意の高さ位置で回動可能に軸支する被軸支手段とによって構成されていることを特徴とする。【０００９】  また、請求項２に記載の発明に係る本棚は、底板、天板、左右側板および背板により筐体形状を呈するように形成され多数の書籍を横置き姿勢で積み重ねることによって収納する本棚本体と、この本棚本体に収納した書籍のうちの任意の書籍を取り出すために用いられる書籍取り出し機構とを備え、この書籍取り出し機構は、前記本棚本体内に収納した書籍のうちの任意の書籍の上側に差し込まれることによりその上部に積み重ねられている書籍を持ち上げるために下面にラックが形成された持ち上げ用レバーと、このラックに歯合する歯車が形成され内部にハンドルが係合する係合孔が形成された係合歯車と、この係合歯車の係合孔に係合する係合部が形成されたハンドルと、前記書籍持ち上げ用レバーの持ち上げ爪部を本棚本体の背面側から書籍間に差し込みできるように前記背板に高さ方向に沿って設けられた開口部と、前記本棚本体の背面側部分に高さ方向に沿って設けられ前記書籍持ち上げ用レバーのハンドルを任意の高さ位置で回動可能に軸支する被軸支手段とによって構成されていることを特徴とする。【００１０】  また、本発明における請求項３に記載の発明は、請求項１または請求項２に記載した本棚を技術的に限定したものであって、前記本棚本体内に収納される書籍は、その背表紙が前記背板に設けた開口部から見える状態で積み重ねられて収納されていることを特徴とする。【００１１】  さらに、本発明における請求項３記載の発明は、請求項１乃至請求項３に記載した本棚を技術的に限定したものであり、前記本棚本体の底板に、移動用キャスタが設けられていることを特徴とする。【００１２】  本発明によれば、本棚本体内に多数の書籍を横置き姿勢で積み重ねることにより、本体内のスペースを最大限に利用して書籍を収納することができる。
また、任意の書籍を本棚内から取り出すことが必要となったときには、本棚本体の背面側において該当する書籍とその上部に積み重ねられた書籍との間に、書籍持ち上げ用レバーの持ち上げ爪部を差し込み、さらに該レバーをその軸部を利用して所定の高さ位置にある被軸支手段である孔に軸支させる。そして、該レバーを回動操作し、爪部により上部の書籍を持ち上げることで、目的とする書籍を本棚本体の前面側から取り出すことができるのである。目的の書籍を取り出した後は、レバーを逆の方向に回動させて上部の書籍を下方に位置している書籍上に載せ、該レバーの軸支を外して爪部を引き抜くとよい。
【発明の効果】
【００１３】  以上説明したように本発明に係る本棚によれば、本棚本体内に棚板等のような仕切板がないため、書籍を収納するにあたってのデッドスペースがなくなり、その分だけ書籍を有効に収納できるから、本棚としての書籍の収納効率を向上させることができる。【００１４】  しかも、本発明によれば、本棚本体内に多数の書籍を横置き姿勢で積み重ねて収納した場合において、任意の位置に積み重ねている書籍を、簡単な構造による書籍取り出し機構を利用して、簡単な操作で自由にしかも確実に取り出すことができる。【００１５】  また、本発明によれば、本棚本体に移動用キャスタを具備することにより、書籍の取り出し、または収納時において、本棚本体の背面側からの書籍持ち上げ用レバーの操作や前面側からの書籍の出し入れを、きわめて簡単に行えるという利点がある。
【発明を実施するための最良の形態】
【００１６】  図１は本発明に係る本棚の一実施の形態を示し、本棚を背面側から見て示す概略斜視図である。
同図において、符号Ａで示す本棚は、底板１１、天板１２、左右側板１３，１４および背板１５によって全体が筐体形状を呈するように形成された本棚本体１６を備えている。この本棚本体１６の内部には、多数の書籍１７が横置き姿勢で積み重ねることによって収納されている。【００１７】  また、本棚本体１６の底板１１には、複数の移動用キャスタ１８が設けられ、書籍１７を収納した状態で本棚本体１６の向きを変えたり移動させたりすることができるように構成されている。【００１８】  符号２０は本棚本体１６に収納した書籍１７のうちの任意の書籍を取り出すために用いられる書籍取り出し機構であり、この書籍取り出し機構２０は、図１、さらに図２、図３に示すように、本棚本体１１内に積み重ねられた書籍１７Ａのうちの任意の書籍の上側に差し込まれることによりその上部に積み重ねられている書籍１７Ｂを持ち上げるための持ち上げ爪部２１ａとこの爪部に軸部２１ｃを介して回動力を作用させる操作部２１ｂとを有するほぼＬ字状の書籍持ち上げ用レバー２１を備えている。【００１９】  ここで、上述した書籍持ち上げ用レバー２１は、爪部２１ａと操作部２１ｂを構成するＬ字状部材と、軸部２１ｃを構成する筒状部材とを溶接等で一体的に連結するとともに、該筒状部材内に軸２２を回転自在に挿入することで構成されているが、このような構造に限定されないことは言うまでもない。【００２０】  前記本棚本体１６の背面側には、収納された書籍１７間に前記書籍持ち上げ用レバー２１の持ち上げ爪部２１ａを、本棚本体１６の背面側から書籍間に差し込みできるように開口部２３が、前記背板１５に高さ方向に沿って設けられている。なお、ここでは、背板１５を左右背板部１５ａ，１５ｂによって構成し、その間を開口部２３とした場合を示している。【００２１】  また、前記本棚本体１６の背面側部分において、左右側板１３，１４の背面側の縁部は、背板１５よりも背面側に突出するように形成され、この部分に複数の支軸孔２４，２５が形成されている。これらの支軸孔２４，２５は、前記書籍持ち上げ用レバー２１の軸２２の両端を支持する被軸支手段として機能するところであり、任意の高さ位置にある左右の支軸孔２４，２５に、前記軸２２を軸支することにより該書籍持ち上げ用レバー２１を回動操作できるように構成されている。【００２２】  なお、書籍持ち上げ用レバー２１を所定の孔２４，２５部分で回動自在に軸支するにあたっての構造としては、該レバー２１を回動自在に軸支した軸２２を支軸孔２４，２５に差し込んで保持させるようにしたり、レバー２１に一体的な軸２２を支軸孔２４，２５に対して回動自在に軸支させるようにしたりする等、適宜の構造を採用すればよい。【００２３】  また、軸２２を支軸孔２４，２５に挿入して支持させるための手法としても、所定の高さ位置にある支軸孔２４，２５に対して側方から軸２２を挿通させ、その途中でレバー２１の軸部２１ｃを挿通させたり、軸２２を伸縮自在に構成し、側板１３，１４間に入れた軸２２を伸ばすことで支軸孔２４，２５に軸支させる等、適宜の手法を採るとよい。【００２４】  ここで、この実施形態では、本棚本体１６内に収納される書籍１７は、その背表紙が前記背板１５��設けた開口部２３から見える状態で積み重ねられて収納されているが、これに限定されるものではなく、積み重ねられた書籍１７から目的の書籍１７Ａを判別し、前記書籍持ち上げ用レバー２１の爪部２１ａを書籍間に差し込むことができるようになっておればよい。【００２５】  以上の構成による本棚Ａによれば、本棚本体１６内に多数の書籍１７を横置き姿勢で積み重ねることにより、本体１６内のスペースを最大限に利用して書籍１７を収納することができるのである。【００２６】  また、任意の書籍１７Ａを本棚Ａから取り出すことが必要となったときには、図１、図２に示すように、本棚本体１６の背面側において該当する書籍１７Ａとその上部に積み重ねられた書籍１７Ｂとの間に、書籍持ち上げ用レバー２１の持ち上げ爪部２１ａを差し込み、さらに図３に示すように、書籍持ち上げ用レバー２１を軸２２を利用して所定の高さ位置にある支軸孔２４，２５に軸支させる。そして、該レバー２１を図４に示すように図中反時計方向に回動操作し、爪部２１ａにより上部の書籍１７Ｂを持ち上げることで、目的の書籍１７Ａを本棚本体１６の前面側から取り出すことができるのである。【００２７】  目的の書籍１７Ａを取り出した後は、書籍持ち上げ用レバー２１を図中時計方向に回動させて上部の書籍１７Ｂを下方に位置している書籍１７上に載せ、該レバー２１の軸２２を支軸孔２４，２５から取り外して爪部２１ａを引き抜くとよい。
また、取り出した書籍１７Ａを元の位置に戻すときは、上記の図２、図３、図４の状態となるように操作を繰り返し、爪部２１ａによって持ち上げられた書籍１７Ｂの下側に書籍１７Ａを戻すとよい。尤も、書籍１７Ａの収納位置が特定されないときは、最上段の書籍の上に戻すようにしてもよいことは言うまでもない。【００２８】  このような構成による本棚Ａでは、本棚本体１６内に従来の本棚で用いていた棚板等のような仕切板がないため、書籍１７を収納するにあたってのデッドスペースがなくなり、その分だけ書籍１７を有効に収納できるから、本棚Ａとしての書籍１７の収納効率を向上させることができるのである。【００２９】  しかも、本棚本体１６内に多数の書籍１７を横置き姿勢で積み重ねて収納した場合において、任意の位置に積み重ねている書籍１７Ａを、簡単な構造による書籍取り出し機構２０の書籍持ち上げ用レバー２１を利用して、簡単な操作で自由にしかも確実に取り出すことができるのである。【００３０】  また、上述した本棚Ａによれば、本棚本体１６が移動用キャスタ１８を備えているから、本棚本体１６の向きを自由に変更できるものであり、書籍１７Ａの取り出し、または収納時において、本棚本体１６の背面側からの書籍持ち上げ用レバー２１の操作や前面側からの書籍１７Ａの出し入れを、きわめて簡単に行えるものである。【００３１】  また、図５に示す本棚Ｂは、本発明の本棚の他の実施例を示すもので、底板１１、天板１２、左右側板１３，１４および背板１５により筐体形状を呈するように形成され多数の書籍１７を横置き姿勢で積み重ねることによって収納する本棚本体１６と、この本棚本体１６に収納した書籍１７のうちの任意の書籍を取り出すために用いられる書籍取り出し機構３０とを備えたものである。【００３２】  この書籍取り出し機構３０は、前記本棚本体１６内に収納した書籍１７のうちの任意の書籍１７の上側に差し込まれることによりその上部に積み重ねられている書籍１７を持ち上げるために下面にラック３１ｃが形成された書籍持ち上げ用レバー３１と、このラック３１ａに歯合する歯車３２ａが形成され内部にハンドル３３が係合する係合孔３２ｂが形成された係合歯車３２と、この係合歯車３２の係合孔３２ｂに係合する係合部３３ｂが形成されたハンドル３３と、前記書籍持ち上げ用レバー３１の持ち上げ爪部３１ａを本棚本体１６の背面側から書籍１７間に差し込みできるように前記背板１５に高さ方向に沿って設けられた開口部２３と、前記本棚本体１６の背面側部分に高さ方向に沿って設けられ前記書籍持ち上げ用レバー３１のハンドル３３を任意の高さ位置で回動可能に軸支する被軸支手段である支軸孔２４，２５によって構成されている。【００３３】  このハンドル３３は、先端部３１ａが、係合部３３ｂより小径の円柱状に加工され、左側の支軸孔２５に挿入されるようになっている。係合部３３ｂは係合歯車３２の係合孔３２ｂに挿入され、ハンドル３３の回転を係合歯車３２に伝達できるように、係合孔３２ｂの形状と同じ四角形または六角形などの多角形の形状に加工されている。基端部３３ｃは、係合部３３ｂよりは大径の円柱状に加工され、右側の支軸孔２４に挿入されて回転できるようになっている。そのため右側の支軸孔２４が左側の支軸孔２５より大径に形成されている。【００３４】  このように構成された本棚は、図６に示すように、本棚本体１６の背面側において該当する書籍１７Ａの位置の図中支軸孔２４よりハンドル３３を差し込み、係合歯車３２を挿通させ、先端部３３ａを図中左側の支軸孔２５に挿入する。【００３５】  次いで、図７に示すように、該当する書籍１７Ａとその上部に積み重ねられた書籍１７Ｂとの間に、書籍持ち上げ用レバー３１の持ち上げ爪部３１ａを差し込む。そして、一方の手で持ち上げ用レバー３１に多少外向きの力を加えながら、他方の手でハンドル３３のハンドル部３３ｄを図中時計方向に回動操作する。すると、図８に示すように、持ち上げ用レバー３１の持ち上げ爪部３１ａが強制的に目的の書籍１７Ａと上部の書籍１７Ｂの間に差し込まれるので、爪部３１ａにより上部の書籍１７Ｂを持ち上げることになる。そして、目的の書籍１７Ａと上部の書籍１７Ｂの間に隙間ができるので、目的の書籍１７Ａを本棚本体１６の前面側から取り出すことができるものである。【００３６】  目的の書籍１７Ａを取り出した後は、ハンドル３３を図中反時計方向に回動させて書籍持ち上げ用レバー３１を後退させる。すると、上部の書籍１７Ｂが下方に位置している書籍１７の上に自動的に載るものである。そして、書籍持ち上げ用レバー２１を完全に取り外し、ハンドル３３を抜き取るものである。
また、取り出した書籍１７Ａを元の位置に戻すときは、上記の図６、図７、図８の状態となるように操作を繰り返し、書籍持ち上げ用レバー２１によって持ち上げられた書籍１７Ｂの下側に書籍１７Ａを戻すとよい。尤も、書籍１７Ａの収納位置が特定されないときは、最上段の書籍の上に戻すようにしてもよいことは言うまでもない。【００３７】  なお、本発明は上述した実施の形態で説明した構造には限定されず、本棚Ａ，Ｂを構成する各部の形状、構造等を適宜変形、変更し得ることはいうまでもない。たとえば書籍取り出し機構２０，３０を構成する書籍持ち上げ用レバー２１や３１、その軸２２やハンドル３３を所定の高さ位置で軸支するための被軸支手段としての複数の孔２４，２５等としては、種々の変形例が考えられることは勿論である。要は、書籍持ち上げ用レバー２１，３１を所定の高さ位置にセットして回動操作可能に構成できればよいものである。【００３８】  また、上述した実施の形態では、本棚本体１６の背板１５を左右背板部１５ａ，１５ｂで構成し、その間に開口部２３を設けているが、これに限定されない。要は、目的の書籍１７Ａの取り出しにあたって、レバー２１，３１の爪部２１ａ，３１ａを書籍間に差し込むとともに、該レバーを回動操作して書籍１７Ｂを持ち上げることができるような開口部であればよい。
【図面の簡単な説明】
【００３９】
【図１】  本発明に係る本棚の一実施の形態を示し、本棚の全体構成を説明するために本棚を背面側から見て示す概略斜視図である。
【図２】  本発明の要部である書籍取り出し機構を構成する書籍持ち上げ用レバーの使用状態を示すものであって、該レバーを取り出したい書籍の上側に挿入する際の操作を説明するための概略断面図である。
【図３】  図２の状態から書籍持ち上げ用レバーの軸部を本棚側に設けた軸孔部に軸支した状態を説明するための概略断面図である。
【図４】  図３の状態から書籍持ち上げ用レバーを回動操作し、取り出したい書籍の上部に積み重ねられている書籍を持ち上げた状態を説明するための概略断面図である。
【図５】  本発明に係る本棚の一実施の形態を示し、本棚の全体構成を説明するために本棚を背面側から見て示す概略斜視図である。
【図６】  本発明の要部である書籍取り出し機構を構成するハンドルに係合歯車３２を装着した状態を示す斜視図である。
【図７】  本発明の要部である書籍持ち上げ用レバーの使用状態を示すものであって、該レバーを取り出したい書籍の上側に挿入する際の操作を説明するための概略断面図である。
【図８】  図７の状態から、取り出したい書籍の上部に積み重ねられている書籍を持ち上げた状態を説明するための概略断面図である。
【符号の説明】
【００４０】Ａ      本棚
Ｂ      本棚
１１    底板
１２    天板
１３，１４  左右側板
１５    背板
１５ａ，１５ｂ  左、右背板部
１６    本棚本体
１７    書籍
１８    移動用キャスタ
２０    取り出し機構
２１    持ち上げ用レバー
２１ａ  持ち上げ爪郎
２１ｂ  操作部
２１ｃ  軸部
２２    軸
２３    開口部
２４    支軸孔（被軸支手段）
２５    支軸孔（被軸支手段）
３０    取り出し機構
３１    持ち上げ用レバー
３１ａ  持ち上げ爪部
３１ｂ  操作部
３１ｃ  ラック
３２    係合歯車
３３    ハンドル
【図１】
2005334581.tif 000003
【図２】
2005334581.tif 000004
【図３】
2005334581.tif 000005
【図４】
2005334581.tif 000006
【図５】
2005334581.tif 000007
【図６】
2005334581.tif 000008
【図７】
2005334581.tif 000009
【図８】
2005334581.tif 000010